【事件の表示】
　平成　５年特許願第２７６１６８号「簡易型ヘッドエンド装置」拒絶査定に対する審判事件［平成　７年　４月２１日出願公開、特開平　７−１０６９９７］について、次のとおり審決する。
【結　論】
　本件審判の請求は、成り立たない。
【理　由】
１．手続の経緯・本願発明
　本願は、平成５年１０月６日の出願であって、その請求項３に係る発明は、平成１1年１１月２２日付けの手続補正書により補正された特許請求の範囲の請求項３に記載された次のとおりのものと認める。
「周波数帯に重なりのある３以上の衛星信号のうち基準となる基準衛星信号以外の各衛星信号を上記基準衛星信号と異なる周波数である出力周波数の信号にそれぞれ変換する複数の周波数変換手段と、
　これら周波数変換手段の出力信号それぞれを分配する複数の分配手段と、
　これら分配手段の各分配出力信号のうち１つを選択して出力する複数の切換手段と、
　これら各切換手段の各出力信号に対して共通に上記基準衛星信号をそれぞれ混合する複数の混合手段と、
　これら混合手段の出力信号それぞれが供給される複数の出力端子と、
　これら出力端子に供給される直流電圧の値に応じて対応する上記切換手段を切り換える制御手段とを、
具備する簡易型ヘッドエンド装置。」
２．引用例の記載
　これに対して、原査定の拒絶の理由に引用された、本願の出願前である平成５年１月２２日に頒布された「特開平５−１４９００号公報」（以下、「引用例」という。）には、下記の事項が記載されている。
（１）「図２において、衛星アンテナは、ＢＳアンテナ１とＣＳ１アンテナ２とＣＳ２アンテナ３の３本が設置され、ＢＳアンテナ１はＢＳ放送波、ＣＳ1アンテナ２はＣＳ1放送波、ＣＳ2アンテナ３はＣＳ2放送波をそれぞれ集束させる。」（第２頁第２欄第３３行〜第２頁第２欄第３７行）
（２）「ＢＳアンテナ１で集束するＢＳ放送波はＢＳコンバータ４に取込まれる。ＢＳ放送波は円偏波であり、ＢＳコンバータ４は１種類のＢＳ放送信号を所定の周波数に変換して信号ケーブル５を介して切換分配器６の第１入力端子ｔ1に導く。」（第２頁第２欄第３８行〜第２頁第２欄第４２行）
（３）「ＣＳ1アンテナ２で集束するＣＳ1放送波はＣＳ1コンバータ７に取込まれる。
ＣＳ1放送波は直交する２種の直線偏波であり、ＣＳ1コンバータ７は水平偏波放送信号と垂直偏波放送信号をそれぞれ所定の周波数に変換して２本の信号ケーブル８，９を介して切換分配器６の第２及び第３入力端子ｔ2，ｔ3にそれぞれ導く。」（第２頁第２欄第４３行〜第２頁第２欄４８行）
（４）「ＣＳ2アンテナ３で集束するＣＳ2放送波はＣＳ2コンバータ１０に取込まれる。ＣＳ2放送波はＣＳ1放送波と同様に直交する２種の直線偏波であり、ＣＳ2コンバータ１０は水平偏波放送信号と垂直偏波放送信号をそれぞれ所定の周波数に変換して２本の信号ケーブル１１，１２を介して切換分配器６の第４及び第５入力端子ｔ4，ｔ5にそれぞれ導く。」（第２頁第２欄第４９行〜第３頁第３欄第５行）
（５）「切換分配器６は４つの分配出力端子ｔ6〜ｔ9を有し、この各分配出力端子ｔ6〜ｔ9には前記５本の入力放送信号の内所望の放送信号を別個独立に選択して出力するもので、この詳しい構成は図１に示されている。各分配出力端子ｔ6〜ｔ9にはそれぞれ信号ケーブル１３〜１６が接続され、この各信号ケーブル１３〜１６の他端がＢＳ／ＣＳ受信機１７〜２０に接続されている。」（第３頁第３欄第６行〜第３頁第３欄第１３行）
（６）「各ＢＳ／ＣＳ受信機１７〜２０は電源スイッチにて電源がオンされるとコンバータ電源を各信号ケーブル１３〜１６を介して出力するよう構成されている。又、各ＢＳ／ＣＳ受信機１７〜２０は放送選択スイッチを有し、このスイッチで５種類（ＢＳ放送、ＣＳ1の水平偏波放送等）の放送を選択できる。この放送選択スイッチによる選択情報はパルスコード回路にてコントロールパルスに変換され、このコントロールパルスを各信号ケーブル１３〜１６を介して前記コンバータ電源に重畳して出力するよう構成されている。」（第３頁第３欄第１４行〜第３頁第３欄第２３行）
（７）「図１において、切換分配器６には分配出力端子ｔ6〜ｔ9と同数の第１〜第４切換スイッチＳＷ1〜ＳＷ4が設けられ、この各切換スイッチＳＷ1〜ＳＷ4には５つの入力放送信号が全て入力されている。各切換スイッチＳＷ1〜ＳＷ4は５つの入力放送信号の１信号を切換制御信号に基づいて選択し、この選択した放送信号はダイオードＤ1及びコントロールパルストラップ回路２１を介して各分配出力端子ｔ6〜ｔ9に供給されている。」（第３頁第３欄第２５行〜第３頁第３欄第３３行）
（８）「各分配出力端子ｔ6〜ｔ9は前記コイルＬを介してコントロールパルス検出回路２３に接続され、このコントロールパルス検出回路２３は伝送されてくるコントロールパルスを検出してこれをマイコン２４に出力する。」（第３頁第３欄第３７行〜第３頁第３欄第４１行）
（９）「マイコン２４はコントロールパルスをデコードし、このデコードした選択情報に基づき選択情報が入力された分配出力端子ｔ6〜ｔ9に対応する第１〜第４切換スイッチＳＷ1〜ＳＷ4に切換制御信号を出力する。」（第３頁第３欄第４２行〜第３頁第３欄第４５行）
（１０）「図３において、・・・ＵＨＦアンテナ２５とＶＨＦアンテナ２６の出力はＵＨＦ／ＶＨＦ混合器２７に入力され、ここでＵＨＦ放送信号とＶＨＦ放送信号が混合される。ＵＨＦ／ＶＨＦ混合器２７の出力は信号ケーブル２８を介してＵ・Ｖ混合切換分配器２９の第６入力端子ｔ10に導かれている。」（第３頁第４欄第３４行〜第３頁第４欄第４２行）
（１１）「このＵ・Ｖ混合切換分配器２９の第１〜第５入力端子ｔ1〜ｔ5には第１実施例と同様の放送信号が入力され、この第１〜第５入力端子ｔ1〜ｔ5に第１実施例と同一構成の切換分配器６が接続され、この各切換分配器６の各分配出力がＢＳ，ＣＳ／Ｕ，Ｖの各混合回路３０〜３３に接続されている。この各混合回路３０〜３３には前記第６入力端子ｔ10が接続され、ここで衛星波と地上波が混合される。各混合器３０〜３３の出力は第１〜第４分配出力端子ｔ6〜ｔ9にそれぞれ導かれている。」（第３頁第４欄第４３行〜第４頁第５欄第２行）
（１２）「この各分配出力端子ｔ6〜ｔ9には信号ケーブル１３〜１６がそれぞれ接続され、各信号ケーブル１３〜１６の他端がＢＳ，ＣＳ／Ｕ，Ｖの各分波器３４〜３７にそれぞれ接続されている。各分波器３４〜３７は衛星波と地上波に分け、衛星波を各ＢＳ／ＣＳ受信機１７〜２０に、地上波を各ＴＶ３８〜４１にそれぞれ出力する。」（第４頁第５欄第３行〜第４頁第５欄第９行）
（１３）「この第２実施例においては前記第１実施例と同様に各ＢＳ／ＣＳ受信機１７〜２０は別個独立に衛星放送の各放送を選択的に受信できると共に各ＴＶ３８〜４１もＵＨＦ放送及びＶＨＦ放送を選択的に受信できる。」（第４頁第５欄第１０行〜第４頁第５欄第１４行）
　したがって、引用例には、ＢＳ放送波、ＣＳ１放送波、ＣＳ２放送波の入力放送信号と、それぞれに前記複数の入力放送信号が全て入力されており、前記複数の入力放送信号のうち１つを選択して出力する複数の切換スイッチと、前記複数の切換スイッチの各出力端子に対してぞれぞれＵＨＦ／ＶＨＦ放送信号を混合する複数の混合回路と、前記混合回路にそれぞれが接続される複数の分配出力端子と、これら分配出力端子に供給されるコントロールパルスに基づき前記切換スイッチを切り換えるマイコンとを備える切換分配器が記載されている。
３．対比・判断
　そこで、本願の請求項３に係る発明（以下「前者」という。）と上記引用例記載の発明（以下「後者」という。）を比較する。
　後者の「切換分配器」も簡易型ヘッドエンド装置といえるので、両者は、簡易型ヘッドエンド装置であって、後者の「ＣＳ１放送波、ＣＳ２放送波の入力放送信号」は、前者の「周波数帯に重なりのある３以上の衛星信号のうち基準となる基準衛星信号以外の各衛星信号」に対応し、後者の「ＵＨＦ／ＶＨＦ放送信号」は、前者の「基準衛星信号」に対応し、後者の「それぞれに前記複数の入力放送信号が全て入力されており」は、その機能からみて、前者の「分配手段」に対応し、後者の「切換スイッチ」「混合回路」「分配出力端子」「マイコン」は、それぞれ、前者の「切換手段」「混合手段」「出力端子」「制御手段」に対応しているので、
　両者は、複数の衛星信号それぞれを分配する複数の分配手段と、これら分配手段の各分配出力信号のうち１つを選択して出力する複数の切換手段と、これら各切換手段の各出力信号に対して共通の放送信号をそれぞれ混合する複数の混合手段と、これら混合手段の出力信号それぞれが供給される複数の出力端子と、これら出力端子に供給される制御信号に応じて対応する上記切換手段を切り換える制御手段とを、具備する簡易型ヘッドエンド装置である点で一致し、
（１）共通の放送信号が、前者は、基準衛星信号であるのに対して、後者は、ＵＨＦ／ＶＨＦ放送信号である点、
（２）前者は、周波数帯に重なりのある３以上の衛星信号のうち基準となる基準衛星信号以外の各衛星信号を上記基準衛星信号と異なる周波数である出力周波数の信号にそれぞれ変換する複数の周波数変換手段を備えるのに対して、後者は、そのような手段を備えていない点、
（３）制御信号が、前者は、直流電圧の値であるのに対して、後者は、コントロールパルスである点で相違する。
　次に、上記相違点について検討する。
　相違点（１）について
　前者において、基準衛星信号とは、その明細書の発明の詳細な説明を参酌するに、ＢＳ放送信号を指すものと認められるが、ＢＳ放送信号は、地上波であるＵＨＦ、ＶＨＦ放送信号と同様に一般に広く受信され、汎用性が高いものである。
　そうすると、後者において、共通の放送波として、このように汎用性の高いＢＳ放送、すなわち周波数帯に重なりのある３以上の衛星信号のうち基準となる基準衛星信号を採用することに格別困難性は認められない。
　相違点（２）について
　ＢＳ放送波とＣＳ放送波の周波数が重なり合うこと、及びＢＳ放送波とＣＳ放送波を混合する場合、ＣＳ放送波を周波数変換してＢＳ放送波と混合することは、ＣＳ放送受信システム、（社）日本電子機械工業会、平成４年１１月発行、第５頁、第１９頁、特開平２−１４００２２号公報、特開平４−１８９０３６号公報に記載される如く周知であり、かかる技術思想を後者に適用して、後者においても、周波数帯に重なりのある３以上の衛星信号のうち基準となる基準衛星信号以外の各衛星信号を上記基準衛星信号と異なる周波数である出力周波数の信号にそれぞれ変換する複数の周波数変換手段を備えるようにすることは当業者が容易に想到し得ることである。
　相違点（３）について
　直流電圧の値に応じて切換手段を切り換えることは、特開平５−１４８９９号公報に記載される如く周知であるから、後者において、切換手段を切り換える制御手段を直流電圧の値に応じて制御するようにすることは、当業者が容易に想到し得ることである。
　また、本願請求項３に係る発明の効果についてみても、上記構成の採用に伴って当然に予測される程度のものにすぎず、格別顕著なものがあるとは認められない。
４．むすび
　以上のとおりであるから、本願の請求項３に係る発明は、上記引用例に記載された発明及び周知技術に基づいて当業者が容易に発明をすることができたものであるから、特許法第２９条第２項の規定により特許を受けることができない。
　よって、結論のとおり審決する。